(57)【要約】【課題】  眼鏡に対して確実に取り付けることができ、かつ、眼鏡の試着を良好に行うことのできる眼鏡用値札を提供する。【解決手段】  眼鏡用値札１００は、柔軟性を有する透明の素材によって形成されており、バンド部１０と締付部２０とタグ部３０とを一体的に備えている。バンド部１０は、眼鏡用値札１００を眼鏡のテンプルに巻き付けるために用いられ、締付部２０は、バンド部１０の巻き付けを固定するために用いられる。タグ部３０は、眼鏡の価格等を表示するために設けられている。このような構造の眼鏡用値札１００によれば、確実に眼鏡に取り付けることができ、眼鏡に取り付けた際にそのデザイン性が損なわれることを抑制することができる。【選択図】  図１
2005301036.tif 000002
【特許請求の範囲】
【請求項１】
眼鏡に取り付ける眼鏡用値札であって、
平状のバンド部と、
前記バンド部の一端に設けられ、該バンド部の短手断面と略同形状の開孔部を有する締付部と、
前記締付部のいずれかの側辺に設けられ、価格等を表示するタグ部と
を備える眼鏡用値札。
【請求項２】
請求項１に記載の眼鏡用値札であって、
前記バンド部は、その長手方向の少なくともいずれか一方の側辺に鋸歯状の係止片を有する眼鏡用値札。
【請求項３】
請求項１または２に記載の眼鏡用値札であって、
前記締付部は、前記バンド部の短手方向と平行に前記開孔部を有する眼鏡用値札。
【請求項４】
請求項１ないし３のいずれかに記載の眼鏡用値札であって、
前記締付部は、前記開孔部を複数有する眼鏡用値札。
【請求項５】
請求項４に記載の眼鏡用値札であって、
前記複数の開孔部は、それぞれ平行に設けられている眼鏡用値札。
【請求項６】
請求項１に記載の眼鏡用値札であって、
前記タグ部は、略矩形状であり隅部に面取りが施されている眼鏡用値札。
【請求項７】
請求項１に記載の眼鏡用値札であって、
前記タグ部は、透明のポケットを有する眼鏡用値札。
【請求項８】
請求項１に記載の眼鏡用値札であって、
前記バンド部、締付部およびタグ部は透明の素材によって形成されている眼鏡用値札。
【請求項９】
請求項８に記載の眼鏡用値札であって、
前記素材はポリビニールまたはウレタン系もしくはシリコン系の樹脂である眼鏡用値札。
【発明の詳細な説明】
【技術分野】
【０００１】
本発明は、眼鏡に取り付ける眼鏡用値札に関するものである。
【背景技術】
【０００２】
近年、眼鏡のデザインは多様化しており、その種類に応じて価格もまちまちである。そのため、多くの店舗では、眼鏡毎にその価格を表示して販売する方法が採られている。従来、個々の眼鏡に価格を表示する方法としては、例えば、レンズ部分に価格を印刷したシールを貼り付ける方法や、価格を表記したタグをフレームに紐で括り付けるなどの方法が採られていた。
【０００３】
また、他の方法としては、価格を付したタグの両端に開孔部を設け、この２つの開孔部に眼鏡のテンプルを貫通させることによって眼鏡にタグを取り付ける方法なども採られていた。なお、下記特許文献１には、眼鏡の価格を色分け表示する方法について記載されている。
【０００４】
【特許文献１】特開２００２−２８７１００号公報
【発明の開示】
【発明が解決しようとする課題】
【０００５】
しかし、レンズ部分にシールを貼り付ける上述の方法では、消費者が眼鏡を試着する際にシールが視界に入ってしまい、自然な装用感を著しく損なうという問題があった。また、タグを紐で括り付ける方法では、タグが消費者の頬に触れ、試着時に違和感を生じさせるおそれがあった。
【０００６】
開孔部を介してタグをテンプルに取り付ける方法では、眼鏡のエンドピースが先細り形状などの場合に、タグが脱落してしまう場合があった。加えて、テンプルの太さや形状は眼鏡毎に異なるため、その太さや形状に応じて開孔部の大きさ調整した複数種類のタグを用意する必要があった。
【０００７】
本発明は、このような課題を解決するためになされたものであり、眼鏡に対して確実に取り付けることができ、かつ、眼鏡の試着を良好に行うことのできる眼鏡用値札の提供を目的とする。
【課題を解決するための手段】
【０００８】
上記課題の少なくとも一つを解決するため、本発明の眼鏡用値札を次のように構成した。すなわち、眼鏡に取り付ける眼鏡用値札であって、平状のバンド部と、前記バンド部の一端に設けられ、該バンド部の短手断面と略同形状の開孔部を有する締付部と、前記締付部のいずれかの側辺に設けられ、価格等を表示するタグ部とを備えることを要旨とする。
【０００９】
上記構成の眼鏡用値札では、バンド部を眼鏡のテンプル（弦）に巻き付けるとともに、その先端を締付部の開孔部に貫通させ、この開孔部を利用してバンド部を固定する。こうすることにより眼鏡に対して値札を容易かつ確実に締着させることができる。
【００１０】
タグ部は、例えば、締付部のバンド部が設けられた逆側の側辺や、バンド部が設けられた側辺に隣接する側辺に設けることができる。タグ部に対する価格等の表示は、例えば、価格等を印字したシールを貼るものとしてもよいし、ペンによって直接記入するものとしてもよい。また、タグ部に対して直接印刷を行うものとしてもよい。
【００１１】
前記バンド部は、その長手方向の少なくともいずれか一方の側辺に鋸歯状の係止片を有するものとしてもよい。こうすることにより、締付部の開孔部とバンド部とを確実に係合させることができる。
【００１２】
前記締付部は、前記バンド部の短手方向と平行に前記開孔部を有することが好ましい。このような構成であれば、バンド部を眼鏡のテンプルに平行に巻き付けることができるため、眼鏡に対して強固に締着させることが可能となる。
【００１３】
また、前記締付部は、前記開孔部を複数有するものとしてもよい。このような構成であれば、複数の開孔部にわたってバンド部を貫通させることにより、バンド部と締付部の接触面が増し、摩擦力が高まる。従って、より強固に眼鏡に締着させることが可能となり、値札が眼鏡から脱落することを抑制することができる。各開孔部は、バンド部を容易に貫通させるため、それぞれ平行に設けられていることが好ましい。
【００１４】
前記タグ部は、略矩形状であり隅部に面取りが施されているものとしてもよい。このような構成であれば、眼鏡の試着時において、タグ部が頬やこめかみに接触した場合の違和感を低減させることができる。
【００１５】
また、前記タグ部は、透明のポケットを有するものとしてもよい。ポケットは、例えば、一辺が開口した透明の蓋部をタグ部に設けることによって形成することができる。ポケットの開口方向は、例えば、鉛直上向きや、水平方向とすることができる。このような構成であれば、眼鏡の価格等を印字した紙片等をポケットに入れることにより容易に価格等の表示を行うことができる。また、紙片を差し替えることにより、価格等の変更を容易に行うこともできる。
【００１６】
前述したバンド部、締付部およびタグ部は透明の素材によって形成されていることが好ましい。このようにすれば、値札の取り付け状態における眼鏡のデザイン性が損なわれることを抑制することができ、良好に試着を行うことができる。
【００１７】
透明な素材としては、例えば、ポリビニールまたはウレタン系もしくはシリコン系の樹脂を利用することができる。このような素材を用いれば、柔軟性に富み、摩擦係数が比較的高い構造とすることができるため、眼鏡への取り付けを容易かつ強固に行うことが可能になる。
【００１８】
なお、本発明は、上述した眼鏡用値札として構成することができるほか、例えば、眼鏡用値札の製造方法としても構成することができる。
【発明を実施するための最良の形態】
【００１９】
以下、本発明の実施の形態を実施例に基づき次の順序で説明する。
Ａ．眼鏡用値札の構成：
Ｂ．取り付け方法：
Ｃ．製造方法：
Ｄ．変形例：
【００２０】
Ａ．眼鏡用値札の構成：
図１は、実施例としての眼鏡用値札１００の構成を示す説明図である。眼鏡用値札１００は、透明なポリビニールによって形成されており、図１に示すように、バンド部１０と締付部２０とタグ部３０とを一体的に備えている。バンド部１０、締付部２０、タグ部３０は、いずれも平状に形成されており、厚みは０．５ｍｍ程度である。
【００２１】
バンド部１０は、眼鏡用値札１００を眼鏡に取り付ける際に、眼鏡のテンプルに巻き付けられる部分である。バンド部１０の長手方向の両側辺には、山部１２１と谷部１２２とを有する係止片１２が鋸歯状に多数、形成されている。山部１２１の高さは、概ね２ｍｍである。バンド部１０の先端は、締付部２０に設けられた開孔部２１〜２３に挿入容易とするため、Ｕ字状に形成されている。バンド部１０の幅は、約１０ｍｍであり、長さは、６０〜７０ｍｍ程度である。なお、バンド部１０の先端は、Ｕ字状に限らずＶ字状であってもよい。
【００２２】
締付部２０は、バンド部１０の一端に設けられており、バンド部１０の巻き付けをテンプルに対して締着させるために用いられる。締付部２０は、バンド部１０の短手断面と略同形状の３つの開孔部２１〜２３を備えている。開孔部２１〜２３は、挿入されたバンド部１０を固定するための孔であり、それぞれ、バンド部１０の短手方向と平行に設けられている。これは、バンド部１０を眼鏡のテンプルに対して平行に巻き付けることにより締着を確実にするためである。開孔部２１〜２３の長手方向の開孔幅は、バンド部１０に設けられた係止片１２を係合可能とするために、バンド部１０の短手方向の最大幅よりも若干狭く形成されている。
【００２３】
タグ部３０は、締付部２０の一側辺に設けられており、眼鏡の価格を表示するために用いられる。本実施例では、タグ部３０とバンド部１０とは締付部２０を介して反対側に位置するように配置されている。タグ部３０の大きさは、価格が表示可能な大きさであればよく、本実施例では、締付部２０よりも面積を広くし、略矩形状となるよう形成されている。眼鏡の試着時においてタグ部３０が頬やこめかみに接触した場合の違和感を低減させるため、タグ部３０の各隅部には面取りが施されている。
【００２４】
タグ部３０には、水平方向に開口する透明のポケット３１が設けられている。このポケット３１内に、価格を表示した紙片４０を挿入することにより、容易に価格の表示を行うことができる。なお、上述したように、タグ部３０自体も、透明の素材によって形成されているため、例えば、紙片４０の表面に価格を印字し、裏面にその価格や眼鏡の型番を表すバーコードを印字することにより、バーコードを利用した精算処理を容易に行うことが可能となる。なお、ポケット３１の開口方向は、鉛直上向きであってもよい。
【００２５】
Ｂ．取り付け方法：
図２は、眼鏡に対する眼鏡用値札１００の取り付け方法を示す説明図である。図２には、眼鏡のテンプル２００と、眼鏡用値札１００の断面を示している。まず、眼鏡用値札１００と眼鏡を用意し（工程Ａ）、眼鏡用値札１００のバンド部１０を眼鏡のテンプル２００に巻き付けるとともに、バンド部１０の先端を締付部２０の開孔部２１へ貫通させ、締め付けを行う（工程Ｂ）。こうすることにより、バンド部１０に設けられた係止片１２の谷部１２２が開孔部２１の左右端に係合してバンド部１０をその巻き付け位置で固定することができる。
【００２６】
次に、バンド部１０の先端を更に開孔部２２に貫通させ、締め付ける（工程Ｃ）。こうすることにより、バンド部１０と締付部２０との接触面に摩擦力が働くため、バンド部１０が開孔部２１から容易に離脱することを抑制することができる。
【００２７】
さらに、強固に固定を行う場合には、開孔部２３に再度バンド部１０の先端を貫通させ、締め付ける（工程Ｄ）。このようにすれば、バンド部１０と締付部２０との接触面が増すため、大きな摩擦力が働き、テンプルに対してより強固に眼鏡用値札１００を締着させることができる。こうして、眼鏡用値札１００を眼鏡へ取り付けた後には、バンド部１０の先端を切断する。このように残余部分を切断するものとすれば、バンド部１０の残余部分が試着時の邪魔になることを抑制できる。
【００２８】
以上で説明した取り付け方法では、複数の開孔部を利用してバンド部１０を固定するものとした。しかし、１つの開孔部だけで好適にバンド部１０を固定できる場合にはいずれか１つの開孔部のみを利用するものとしてもよい。また、２つの開孔部によって好適にバンド部１０を固定できる場合には、例えば、開孔部２１と開孔部２３、開孔部２２と開孔部２３、といった組合せのようにいずれか２つの開孔部を利用するものとしてもよい。
【００２９】
図３は、こうして眼鏡に取り付けられた眼鏡用値札１００の取り付け状態を示す説明図である。図３に示すように、本実施例の眼鏡用値札１００によれば、眼鏡のテンプル部分にコンパクトに価格の表示を行うことが可能となる。また、眼鏡用値札１００の素材は透明であるため、その取り付け時に眼鏡のデザイン性が損なわれることが抑制され、消費者は好適に試着を行うことができる。また、価格の表示を行うタグ部３０は、締付部２０やバンド部１０と一体的に形成されているため、タグ部３０の移動が制限される。そのため、タグ部３０が頬やこめかみに必要以上に接触することを抑制することができる。さらに、本実施例では、ポリビニールを用いて眼鏡用値札１００を形成するものとしたため、柔軟性に富み、比較的摩擦係数の高い構造とすることができる。そのため、テンプルを巻き締める効果が高く、眼鏡用値札１００が脱落することを効果的に抑制することができる。
【００３０】
Ｃ．製造方法：
図４は、眼鏡用値札１００の製造方法を示す説明図である。まず、ポリビニール製のシートを用意する。そして、このシートから、上述したバンド部１０、締付部２０、タグ部３０に相当する部分を有する表部材１０１と裏部材１０２とを切り出す。図４に示した表部材１０１と裏部材１０２とは、タグ部３０に相当する部分の形状が若干異なっているが、同一形状でも差し支えない。
【００３１】
次に、表部材１０１と裏部材１０２とを、係止片１２を含む外周部および開孔部２１〜２３の周囲において接着または溶着する。図４には、この接着（溶着）部分を表部材１０１中にハッチングを付して示している。このとき、タグ部３０に相当する部分の一側辺３１０には接着（溶着）は行わない。タグ部３０にポケット３１を設けるためである。
【００３２】
以上で説明した方法によって本実施例の眼鏡用値札１００を製造することが可能である。かかる製造方法によれば、２枚の部材を重ね合わせることで眼鏡用値札１００が構成されるため、ポケット３１を容易に形成することが可能となる。また、係止片１２を含む外周部および開孔部２１〜２３の周囲によって接着、溶着が施されるため、係止片１２と開孔部２１〜２３の強度が向上する。そのため、バンド部１０と、開孔部２１〜２３とを確実に係合することが可能となる。
【００３３】
なお、上記製造方法では、２枚の部材を重ね合わせることによって眼鏡用値札１００を製造するものとしたが、例えば、１枚の部材によって製造するものとしてもよい。このような場合には、タグ部３０に対して、透明の蓋部材を別途接着または溶着することによりポケット３１を設けることが好ましい。また、素材としては、ポリビニール以外にも、例えば、ウレタン系やシリコン系の樹脂を用いることができる。
【００３４】
Ｄ．変形例：
図５は、眼鏡用値札１００の第１の変形例を示す説明図である。上記実施例では、図１に示したように、バンド部１０とタグ部３０とは締付部２０を挟んで反対側に配置するものとしたが、本変形例の眼鏡用値札１００ｂは、図５に示すように、バンド部１０ｂとタグ部３０ｂとが、締付部２０ｂを介して直角になるように配置するものとした。タグ部３０ｂには、実施例と同様に、ポケット３１ｂが設けられ、このポケットには価格等を表示した紙片４０ｂを挿入することができる。このような構造によれば、タグ部３０ｂの垂下が抑制されるため、試着時におけるタグ部３０の頬やこめかみへの接触を効果的に抑制することができる。
【００３５】
図６は、眼鏡用値札１００の第２の変形例を示す説明図である。図６には、本変形例におけるバンド部１０ｃの長手方向の断面形状を示している。上記実施例では、図１に示したように、バンド部１０の両側辺に係止片１２を多数、形成するものとしたが、本変形例のバンド部１０ｃは、図６に示すように、その厚みを凸凹状に変化させる構成とした。このような構成であっても、バンド部１０ｃを締付部２０の開孔部２１〜２３に容易に係合させることができる。なお、凸凹状に変化させる面は、バンド部１０ｃの両面であってもよいし、片面のみであってもよい。
【００３６】
図７は、眼鏡用値札１００の第３の変形例を示す説明図である。上記実施例では、図１等に示したように、眼鏡用値札１００のバンド部１０には、略二等辺三角形状の係止片１２を設けるものとした。しかし、形状はこれに限定されず、例えば、図７（ａ）に示すように、直角三角形状の係止片１２ｂを設けるものとしてもよい。また、図７（ｂ）に示すように、多角形状の係止片１２ｃを設けるものとしてもよい。その他、図７（ｃ）に示すように、矩形状の係止片１２ｄを設けるものとしてもよい。これらの形状によってもバンド部１０を開孔部２１〜２３に固定することができる。なお、図７に示した種々の係止片１２ｂ，１２ｃ，１２ｄは、共通して、締付部２０側の一辺が、バンド部１０の短手方向と平行になるように形成されている。このような形状によれば、係止片１２ｂ，１２ｃ，１２ｄと開孔部２１〜２３の周囲部分とが平行に係合するため、より強固にバンド部１０を開孔部２１〜２３に固定することができる。
【００３７】
以上、本発明の実施例および変形例について説明したが、本発明は、このような実施形態に限定されるものではなく、発明の要旨を逸脱しない範囲内において、種々なる態様で実施可能である。例えば、上記実施例では、開孔部を３つ設けたが、その数に制限はなく、１つ以上であればよい。また、眼鏡用値札１００を形成する素材の摩擦係数が十分高い場合などには、バンド部１０の係止片１２を省略した構成としても構わない。また、係止片１２は、バンド部１０の片側辺にのみ設けるものとしてもよい。
【図面の簡単な説明】
【００３８】
【図１】眼鏡用値札１００の構成を示す説明図である。
【図２】眼鏡に対する眼鏡用値札１００の取り付け方法を示す説明図である。
【図３】眼鏡用値札１００の取り付け状態を示す説明図である。
【図４】眼鏡用値札１００の製造方法を示す説明図である。
【図５】眼鏡用値札１００の第１の変形例を示す説明図である。
【図６】眼鏡用値札１００の第２の変形例を示す説明図である。
【図７】眼鏡用値札１００の第３の変形例を示す説明図である。
【符号の説明】
【００３９】
１００，１００ｂ...眼鏡用値札
１０，１０ｂ，１０ｃ...バンド部
１２，１２ｂ，１２ｃ，１２ｄ...係止片
１２１...山部
１２２...谷部
２０，２０ｂ...締付部
２１〜２３...開孔部
３０，３０ｂ...タグ部
３１，３１ｂ...ポケット
４０，４０ｂ...紙片
１０１...表部材
１０２...裏部材
２００...テンプル
【図１】
2005301036.tif 000003
【図２】
2005301036.tif 000004
【図３】
2005301036.tif 000005
【図４】
2005301036.tif 000006
【図５】
2005301036.tif 000007
【図６】
2005301036.tif 000008
【図７】
2005301036.tif 000009